(57)【要約】【課題】運転中の機器操作にかかる負担を減らして運転中の安全性を確保しつつ、多数の楽曲の中から希望する条件の楽曲を簡単に検索し、演奏できる選曲機能を備えたナビゲーション装置を提供する。【解決手段】再生装置と、再生装置に記録された音楽情報を検索して再生する制御部と、制御部の操作を行う操作装置と、検索結果を表示するデイスプレイとを備えたカーナビゲーションシステムにおいて、操作装置は、複数の操作モードが設定された操作ボタン群と、これら操作ボタン群の操作モードを切り替える選択ボタンとを備え、操作モードは、前記再生装置に記録された音楽情報を検索し、再生する検索再生モードを備え、操作ボタン群はそれぞれの操作ボタンに検索条件が任意に設定され、制御部は、検索再生モードにおいて、操作ボタン郡の１つの選択に基づいて、この操作ボタンに設定された検索条件に基づいて該当する条件の検索を行い、これを再生するようにする。【選択図】  図１
2004281013.tif 000002
【特許請求の範囲】
【請求項１】
再生装置と、この再生装置に記録された音楽情報を検索して再生する制御部と、この制御部の操作を行う操作装置と、検索結果を表示するデイスプレイとを備えた音楽情報の検索・再生システムにおいて、
前記操作装置は、複数の操作モードが設定された操作ボタン群と、これら操作ボタン群の操作モードを切り替える選択ボタンとを備え、前記操作モードは、前記再生装置に記録された音楽情報を検索し、再生する検索再生モードを備え、前記操作ボタン群はそれぞれの操作ボタンに検索条件が任意に設定され、前記制御部は、前記検索再生モードにおいて、前記操作ボタン群の１つの選択に基づいて、この操作ボタンに設定された検索条件に基づいて該当する条件の検索を行い、これを再生することを特徴とする音楽情報の検索・再生システム。
【請求項２】
前記制御部は前回再生時の記録を前記再生装置に格納し、再生時には前記記録に基づいて前回停止した位置から再生を開始することを特徴とする請求項１記載の音楽情報の検索・再生システム。
【請求項３】
前記操作モードとして、前記操作ボタン群の各操作ボタンの検索条件を設定・変更するためのモードを備え、現在演奏中の楽曲に関する所定の項目を検索条件として追加または置き換え可能であることを特徴とする請求項１または２記載の音楽情報の検索・再生システム。
【請求項４】
前記操作ボタン群はカーナビゲーションシステムの操作機能をも兼ね備え、カーナビゲーションを操作するための操作モードを有することを特徴とする請求項１乃至３のいずれかに記載の音楽情報の検索・再生システム。
【請求項５】
前記操作モードとして、前記操作ボタン群の各操作ボタンの検索条件を設定・変更するためのモードを備え、前記制御部は該モードにおける設定画面の表示を自動車走行中と停車中とで異ならせることを特徴とする請求項４記載の音楽情報の検索・再生システム。
【発明の詳細な説明】
【０００１】
【発明の属する技術分野】
本発明は、音楽再生手段を備えた車両用カーナビゲーションシステム、あるいは携帯型オーディオプレーヤーに関するものである。
【０００２】
【従来の技術】
近年、記憶技術の発展により、大容量のハードデイスクや、ＤＶＤ再生装置が広く普及している。また、携帯電話などが広く普及し、ネットワークを介して大容量のデータをダウンロードすることが一般化している。この発明が狙いとする、カーナビゲーションの分野においても、地図情報に加えて、多数の音楽情報をハードデイスクに記録して、運転中に道路案内を受けながら好みの音楽を聞ける環境となっている。
【０００３】
一方、カーオーデイオの分野においては、ＤＶＤやＣＤなどの記録媒体の読み取り装置を備えて、この記録媒体に記録された音楽を再生したり、あるいは一部を選曲して演奏できるようにしている。
【０００４】
例えば、図６は、従来のカーオーデイオを備えたカーナビゲーションの選曲の仕方を概念的に示したものである。図６において、例えば、従来技術の場合、カーナビゲーションのデイスプレイには、（ａ）図に示すように、地図情報と現在演奏中の楽曲情報が表示される。このような状態から他の楽曲を選択する場合には、図示しない呼び出しボタンの操作で（ｂ）図に示すような選曲メニュー画面を呼び出して、選曲方法を選択する。例えば、アーテイストやアルバムやジャンルなどから選曲方法を選択する。この中から、アーテストを選択した場合は、（ｃ）図のようにアーテストの一覧を表示して、更にアルバムの一覧表を表示し、これらの中から１つを選択することで、（ａ）図に戻って、新たな楽曲を聞くことができる。
【特許文献１】特開平９−８１９５９号
【特許文献２】特開２００２−２６８３８号
【発明が解決しようとする課題】
車載用の各種機器は運転に支障をきたさないように、また、運転者の機器操作の負担を抑えるように極力操作頻度を少なくし、簡単な手順で操作することが必要である。また一方、車のコントロールパネルやリモコンの操作パネルは、各種機器が配置されているために、上記操作性を備えつつ運転者の周囲にコンパクトな形態で配置されたり、運転に支障をきたさない簡単な操作が求められている。
【０００５】
しかしながら、従来技術においては、選曲を行う際に複数の操作ステップを行わないと選曲することができない。特に、近年の技術では、記憶容量が大容量となったため、多くの楽曲の中から、希望する楽曲を選択する必要がある。また、これら選曲では、１曲ずつ選択していたのでは、長いドライブ中に、いちいち選曲しなければならず煩わしい。
【０００６】
そこで、この発明の目的とするところは、運転者の機器操作の負担を抑えることにより運転中の安全性を確保しつつ、多数の楽曲の中から希望する条件の楽曲を簡単に検索し、演奏できる選曲機能を備えたナビゲーション装置を提供することにある。
【０００７】
【課題を解決するための手段】
本発明は、前記目的を達成するために、再生装置と、この再生装置に記録された音楽情報を検索して再生する制御部と、この制御部の操作を行う操作装置と、検索結果を表示するデイスプレイとを備えたカーナビゲーションシステムにおいて、前記操作装置は、複数の操作モードが設定された操作ボタン群と、これら操作ボタン群の操作モードを切り替える選択ボタンとを備え、前記操作モードは、前記再生装置に記録された音楽情報を検索し、再生する検索再生モードを備え、前記操作ボタン群はそれぞれの操作ボタンに検索条件が任意に設定され、前記制御部は、前記検索再生モードにおいて、前記操作ボタン郡の１つの選択に基づいて、この操作ボタンに設定された検索条件に基づいて該当する条件の検索を行い、これを再生するようにする。
【０００８】
【発明の実施の形態】
以下、図１から図５を参照して、本発明に係る車載ナビゲーションシステムを詳細に説明する。先ず、図１を参照して、この車載ナビゲーションシステムの概略構造を説明する。図１は、車載ナビゲーションシステムの装置概念図を示している。
【０００９】
図１において、この車載ナビゲーションシステムは、地図ソフトを収納し、ＧＰＳの位置データの処理、検索、探索などさまざまな演算機能を持つコンピュータとジャイロセンサーを内蔵した本体筐体部１００と、デイスプレイ２００と、ＧＰＳアンテナ（Ｇｌｏｂａｌ  Ｐｏｓｉｔｉｏｎｉｎｇ  Ｓｙｓｔｅｍ）４００と、ジョイスティックや複数のスイッチとの組み合わせによりこの車載ナビゲーション装置の基本的な操作を行うリモコン３００と、ＦＭ／ＡＭチューナー４０３と、  渋滞や工事などの情報を受信するためのＦＭ多重情報、ＦＭ文字多重放送、ディファレンシャルＧＰＳ（Ｄ−ＧＰＳ）受信が可能なＶＩＣＳ・ＦＭ多重チューナー４０４と、ＴＶチューナー４０５と、スピーカ４０１、４０２と、マイク４０６とを含んで構成される。この車載ナビゲーションシステムは、通信装置を備えた携帯電話などの携帯端末装置４０７と接続され、この携帯端末装置４０７を介してインターネット１０に接続し、音楽配信会社１１から希望する音楽情報を入手することができる。
【００１０】
前記本体筐体部１００は、この車載ナビゲーションシステムを統括的に制御する制御部１０１と、各種のデータを格納可能な大容量の記憶装置１０２と、ＤＶＤやＣＤなどの記録媒体の再生装置１０３と、前記マイク４０６と接続して運転者の音声を認識する音声認識部１０４と、前記スピーカ４０１、４０２と接続されるアンプ１０７と、前記リモコン３００からの赤外線信号を受信する赤外線受信部１０６と、前記携帯端末装置４０７やＦＭ／ＡＭチューナー４０３、ＶＩＣＳ・ＦＭ多重チューナー４０４、ＴＶチューナー４０５とを接続する外部インターフエイス１０５などを備えている。
【００１１】
前記制御部１０１は、ＧＰＳ装置やＶＩＣＳ・ＦＭ多重チューナー４０４を用いて現在位置を把握し、前記記憶装置１０２に格納された地図情報と、現在位置を前記デイスプレイ２００に表示し、運転のナビゲーションを行う機能を主体的に持っている。また、この制御部１０１は、前記外部インターフエイス１０５に接続される前記再生装置１０３やＦＭ／ＡＭチューナー４０３やＴＶチューナー４０５の制御も行うことができ、これら各装置から読み込んだ情報、例えば、音楽情報の検索や再生の制御も行うことができる。更に、この制御部１０１は、前記携帯情報端末４０７を介して前記音楽配信会社１１や各種情報サイトと接続し、各所の情報を引き出す機能をも備えている。
【００１２】
また、前記記憶装置１０２は、大容量のハードデイスク装置で構成される。この記憶装置１０２には、カーナビゲーションに関する地図情報や、前記記録媒体から取り込まれる音楽情報、あるいは前記インターネットを介して入手した音楽情報を格納することができる。この格納された各種データは、前記制御部１０１の統括の基に、前記デイスプレイ２００に表示したり再生することができる。
【００１３】
また、デイスプレイ２００は、横長の極一般的な液晶デイスプレイを採用している。このデイスプレイには、地図情報などを表示するメイン表示エリア２０１と、音楽情報や各種のガイダンスを表示するサブエリア２０２が標準画面２５０として表示される。この他、このデイスプレイ２００には、前記標準画面２５０の他に各種の設定画面が用意され、ＴＶモードが設定されるとテレビ画面を表示することができる。
【００１４】
また、前記リモコン３００には、複数の操作ボタンからなる操作ボタン群３０１と、これら操作ボタン群３０１の操作モードを選択する選択スイッチ３０２と、カーソル操作ボタン群３０３とが配置される。この実施の形態では、このリモコン３００での操作を主体としているために、このリモコンに前記操作ボタン群３０３を配置しているが、前記本体筐体部１００の前面に配置することができる。ここで、カーソル操作ボタン群３０３は、中央の決定ボタンと周囲のカーソル移動ボタンからなる。
【００１５】
そして、このカーナビゲーションシステムの大きな特徴は、前記操作ボタン群３０１に複数の運転モードを割り付け、これを前記選択スイッチ３０２を介して必要な操作モードに切り替えるようにした点にある。この実施の形態では、前記運転モードを「カーナビモード」と、「カーナビ音楽再生モード」と、「カーナビＦＭ／ＡＭモード」と、「ＴＶモード」とに選択することができる。前記カーナビモードは、カーナビゲーションを専用とするものであり、このモードが設定されると操作ボタン群３０１をカーナビゲーションの専用の操作ボタンに設定するとともに、前記デイスプレイ２００にカーナビゲーションの表示画面が表示される。また、カーナビ音楽再生用モードは、カーナビゲーションを受けながら音楽の再生や検索を行うモードであり、図１に示すように、前記デイスプレイ２００にカーナビゲーションの情報と音楽情報が並記される標準画面２５０を表示しながら前記操作ボタン群３０１の各スイッチを音楽選曲用ボタンに設定する。
【００１６】
また、カーナビＦＭ／ＡＭモードは、カーナビゲーションを受けながらＦＭ／ＡＭを聴くモードであり、前記デイスプレイ２００にカーナビゲーションの情報を表示しながら前記操作ボタン群３０１の各スイッチをＦＭ／ＡＭ選曲用ボタンに設定する。
【００１７】
更に、ＴＶモードは、ＴＶを観るモードであり、前記操作ボタン群３０１の各スイッチをＴＶ選局ボタンに設定し、前記デイスプレイ２００には前記ＴＶ選局ボタンで選局されたＴＶ画像を表示することができる。
【００１８】
この実施の形態によれば、前記多様なモードを１つのリモコン３３０の操作で行なうことができるので、従来のように運転者の周囲に複数の機器とこれを操作する複数の操作ボタンを配置することを軽減できる。これにより、運転者は前記デイスプレイ２００を確認しながら１つのリモコン３００を操作すればよいので運転者の機器操作の負担を抑えて安全性を維持しつつ操作性を向上することができる。
【００１９】
そして、この車載ナビゲーションシステムの更なる特徴は、カーナビ音楽再生モードにおいて、前記記憶装置１０２に記憶された大量の音楽の中から所望する楽曲を再生するために、楽曲を検索する条件式を作成し、これを前記操作ボタン群３０１に割り付けることができる点にある。これにより、自動車運転中でも簡単かつ安全性を維持しながら自分の所望の楽曲を検索し、再生することができる。これを図２から図５を参照して詳細に説明する。図２は、操作ボタン群３０１に割り当てられた検索条件と再生順序の設定図である。図３、図４は、停車中の検索条件と演奏順序の設定画面である。図５は走行中の検索条件と演奏順序の設定画面である。
【００２０】
カーナビ音楽再生モードが設定されると、アーティスト１の全ての曲をランダムに再生」、自動更新「する」が設定されている。したがって、この選曲ボタン１を選択すれば、前記記憶装置１０２に格納された、アーティスト１の全ての楽曲がランダムに再生される。
【００２１】
また、選曲ボタン２には、ポップス＊２００３年以降の曲曲名の５０音順に再生して繰り返す」、自動更新「しない」が設定されている。したがって、この選曲ボタン２を選択すれば、前記記憶装置１０２に格納された、ポップスの２００３年以降の曲がいつも同じ順番で再生される。
【００２２】
また、選曲ボタン３には、今週のベスト１０売上順に繰り返す」、自動更新「する」が設定されている。この実施の形態では、この選曲ボタン３が選択されると、格納されている配信記録を参照して、予め設定された更新日時に達して要るか否かを参照して達していなければ、記憶装置１０２に格納されている該当する楽曲を呼び出して、これを売上順にそって演奏し、演奏が終了すると、停止信号があるまで再度演奏を繰り返す。また、前記記憶装置１０２に該当する格納データがない場合は、音楽配信会社１１のアドレスを呼び出し、このアドレスを基に前記情報端末機４０７を介して音楽配信会社１１から予め設定された今週のベスト１０格納データがない場合と同様にダウンロードする。
【００２３】
なお、このダウンロードにあたっては、表示画面２５０のサブ表示エリア２０２に、ダウンロードの状況が表示される。
【００２４】
また、選曲ボタン４には、（アーティスト２＋アーティスト３）＊最新曲それぞれの最新曲を繰り返し再生する。」、自動更新「する」が設定されている。したがって、この選曲ボタン４を選択すれば、前記制御部１０１は、前記記憶装置１０２に格納された、アーティスト２とアーティスト３の楽曲を検索してそれぞれの最新の楽曲を順次繰り返す。この検索条件では、前記記憶装置１０２にアーティスト２とアーティスト３の最新の楽曲が格納されれば、その楽曲が順次繰り返されることになる。
【００２５】
また、選曲ボタン５には、１９９１年にベスト１０に入った曲ランダムに再生」、自動更新「しない」が設定されている。したがって、この選曲ボタン５を選択すれば、前記制御部１０１は、前記記憶装置１０２に格納された、１９９１年にベスト１０に入った楽曲を検索してランダムに再生する。この検索条件では、自動更新が「しない」に設定されているので、常に、同じ楽曲をランダムに再生することができる。
また、選曲ボタン６には、アルバム１＋アルバム２＋アルバム３アルバムごとに再生。アルバムの順序はランダム」、自動更新「しない」が設定されている。したがって、この選曲ボタン６を選択すれば、前記制御部１０１は、前記記憶装置１０２に格納された、３つのアルバムを順次呼びだして、それおぞれのアルバムの楽曲をランダム再生する。
【００２６】
このように、この実施の形態に係るナビゲーションシステムの選曲システムは、複数のそのボタンに割り当てられた検索条件に従って記録されている楽曲を検索し、再生する。更に、制御部１０１は前回再生時の記録を前記記憶装置１０２またはメモリに格納しており、曲の途中で停止した場合には、その位置から再生を開始する。
【００２７】
また、再生中の楽曲に付属する情報を元に、そのボタンに割り当てる検索条件を変更することができる。図３および図４は停止中に選曲ボタンを長押ししたときの設定画面５００、５２０を示したものである。停車中は、運転中よりも機器操作に注力することが出来るので、この実施の形態では、各検索項目を自由に設定することができる。
【００２８】
先ず、この実施の形態では、制御部１０１は、操作ボタン群３０１の押下を監視し、押下があると、その押下時間をカウントする。そして、押下が所定時間以上であると、車が走行中であるか否かを検知して、停車中であると、長押しされた操作ボタンに対する図３に示す設定画面５００を表示する。
【００２９】
この設定画面５００は、前記デイスプレイ２００に全画面表示またはウインドウ形式で表示される。この選定画面５００は、上部にタイトルエリア５０１が設けられ現在の操作が「ボタン１選曲条件設定」状態であることを示し、その下部には、ワークエリア５０２が設定される。ワークエリア５０２には、５０３から５０７の検索条件設定部が表示される。この検索条件設定部は、中央に「検索条件タイトル」が表示され、その前部に「選択欄」、後方に「プルダウンボタン」が設けられている。前記「プルダウンボタン」をカーソル操作ボタン群３０３の操作で選択することで、その項目を検索条件とすることができる。これら検索条件は前記「プルダウンボタン」をカーソル操作ボタン群３０３で操作することで、多数の検索条件を表示させてその中から１つを選択することができる。したがって、この実施の形態では、５個の検索条件を組み合わせて検索条件とすることができる。なお、この実施の形態では、検索条件設定部５０７については期間設定専用の項目としている。
【００３０】
また、ワークエリア５０２の下部には、追加ボタン５０８と、置き換えボタン５１０と、現在の選曲条件表示欄５０９が設けられている。追加ボタン５０８は、現在設定中の検索条件に、検索条件設定５０４から５０７の新たな追加条件を設定するボタンであり、置き換えボタン５１０は、現在設定中の検索条件を検索条件設定５０４から５０７の検索条件に置き換えるものである。また、現在の選曲条件表示欄５０９は、現在演奏中の操作ボタンに設定された検索条件を示している。
【００３１】
今、図３においては、ボタン１に検索条件に「アルバム１＋アルバム２」が設定され、現在演奏中の楽曲の項目が検索条件設定部５０４から５０７に表示され、検索条件設定部５０５の「アルバム３」が単独で検索条件として変更対象に設定されている。ここで、追加ボタン５０８が押下されれば、検索条件「アルバム１＋アルバム２」に「アルバム３」が追加されることになる。また、置き換えボタン５１０が押下されれば、検索条件「アルバム１＋アルバム２」を「アルバム３」に変更することができる。
追加ボタン５０８または置き換えボタン５１０の一方が押下されると、制御部１０１は図４に示す設定画面５２０を表示する。この設定画面５２０では、演奏順序と自動更新の有無を設定することができる。この設定画面５２０も、上部にタイトルエリア５２１、下部にワークエリア５２２が設けられている。ワークエリア５２２には、再選順序設定部５２３、再生開始設定部５２４、自動更新設定部５２５、現在の選曲条件表示部５２６、ＯＫボタン５２７、戻りボタン５２８、キャンセルボタン５２９が設けられている。前記再選順序設定部５２３、再生開始設定部５２４、自動更新設定部５２５は、それぞれ「選択欄」、と「プルダウンボタン」が設けられており、各条件をプルダウンの表示の中から選定して、それを条件に設定することができる。また、現在の選曲条件表示部５２６には、設定画面５００で設定された条件式が表示される。そして、この状態で、ＯＫボタン５２７の押下で、前記条件を設定し、前記戻りボタン５２８で前記設定画面５００に戻り、キャンセルボタン５２９でカーナビゲーションの画面に戻すことができる。
【００３２】
図４の設定画面５２０は、前記設定画面５００で追加ボタン５０８が押下されて、この設定画面５２０が表示された状態を示している。ここでは、再生条件として「曲名５０音順」、再生開始は「前回停止したところから」、自動更新として、インターネットからダウンロードする場合の条件として「有料時には確認する」が設定されている。この状態で、ＯＫボタン５２７が押下されれば、選曲ボタン１の検索条件や再生条件などが新たな条件に変更される。
【００３３】
さて、この実施の形態では、車が走行中の場合は、図５に示す設定画面５４０を表示する。この設定画面５４０は、上部にタイトルエリア５４１が表示され、この設定画面５４０が「走行時選曲条件編集設定」であることを示している。また、この設定画面５４０は、下部にワークエリア５４２が表示され、５４３から５４７の検索条件設定部と、追加ボタン５４８と置き換えボタン５４９が設けられている。この設定画面５４０でも検索条件設定エリア５４３から５４７には、「選択欄」と「プルダウンボタン」が設けられている。しかし、この設定画面５４０が他の設定画面５００と違うのは、事前に「選択欄」が選択されている点である。運転中においては、これら設定画面を運転者が注視することを防ぐために、この実施の形態では、予め検索条件を設定するようにする。この設定は、図３の前記設定画面５００に設けられる走行時設定画面５１１の押下で、この設定画面５４０と同様な設定画面が表示される。この同様な設定画面において、「選択欄」と「プルダウンボタン」を操作して走行時の検索条件を設定することができる。
【００３４】
使用者は、走行時に選曲ボタン１を長く押すと、制御部１０１がこの図５に示す設定画面５４０を表示する。使用者は、このまま追加ボタン５４８または置き換えボタン５４９を押下することで、ボタン１に対し検索条件を設定することができる。例えば、走行中にある曲が再生されている間にこの操作を行うと、図５の例では再生されている曲のアルバム名がボタン１の検索条件として追加または置き換えられる。そして、この実施の形態では、走行時は、演奏順序や自動更新については、設定できないようにしているが、このあと引き続き図４と同様な設置画面を表示して、これらを設定するようにしてもよい。この場合も、予め演奏順序や自動更新の条件を設定するようにしておく。
【００３５】
また、走行時には選曲ボタンを長押しすると図５の設定画面は表示せずに、事前に設定した検索条件により、設定内容が変更されるようにしてもよい。即ち、走行中に選曲ボタン１を長押しすると、再生中の曲のアルバム名が選曲ボタン１の検索条件として追加または置き換えられるようにする。このようにすると、運転者は走行中に図５の画面を確認する必要がなくなるため、操作がより簡単になり、操作性を向上させることができる。
このように、この実施の形態に係るカーナビゲーションシステムの選曲システムは、複数の操作ボタン群３０１のそれぞれのボタンに検索条件や演奏条件あるいは演奏条件を任意に設定することができるので、複雑な検索条件を使用の都度、設定することがないので、操作性を向上できるとともにわずらわしさを軽減できる。しかも、この実施の形態では、事前に設定された検索条件や演奏順序を、演奏中の楽曲を参考に、追加したり置き換えたりすることが簡単に設定できる。加えて、これら設定登録は、走行時と停車時の設定画面を変更することで、それぞれの状況で無理のない範囲の操作負担としながら操作性を向上することができる。
【００３６】
この実施の形態では、カーナビゲーションシステムを中心に説明したが、一般のカーオーデイオにおいても応用できる。例えば、ＦＭ／ＡＭチューナーと大容量の記憶装置とを備えたカーオーデイオにおいて、ラジオ局の選局ボタンを、選択スイッチを備えることで、選局ボタンと検索条件選択ボタンとに選択可能とすることで、安全性を維持しつつ、操作性を向上することができる。
【００３７】
【発明の効果】
本発明によれば、運転中の機器操作にかかる負担を減らして運転中の安全性を確保しつつ、多数の楽曲の中から希望する条件の楽曲を簡単に検索し、演奏することができる。
【図面の簡単な説明】
【図１】車載ナビゲーションシステムの装置概念図である。
【図２】操作ボタン群に割り当てられた検索条件と再生順序の設定図である。
【図３】停車中の検索条件と演奏順序の設定画面である。
【図４】停車中の検索条件と演奏順序の設定画面である。
【図５】走行中の検索条件と演奏順序の設定画面である。
【図６】従来例の操作画面の遷移図である。
【符号の説明】
１０…インターネット、１１…音楽配信会社、１００…本体筐体部、１０１…制御部、１０２…記憶装置、１０３…再生装置、１０４…音声認識部、１０７…アンプ、１０６…赤外線受信部、１０５…外部インターフエイス、２００…デイスプレイ、２０１…メイン表示エリア、２０２…サブエリア、２５０…標準画面、４００…ＧＰＳアンテナ、３００…リモコン、３０１…操作ボタン群、３０２…選択スイッチと、３０３…カーソル操作ボタン群、４０３…ＦＭ／ＡＭチューナー、４０４…ＶＩＣＳ・ＦＭ多重チューナー、４０５…ＴＶチューナー、４０１、４０２…スピーカ、４０６…マイク、４０７…携帯端末装置、…………５０１…タイトルエリア、５０２…ワークエリア、５０３から５０７…検索条件設定部、５０８…追加ボタン、５０９…選曲条件表示欄、５１０…置き換えボタン、５１１…走行時設定画面、…５２１…タイトルエリア、５２２…ワークエリア、５２３…再選順序設定部、５２４…再生開始設定部、５２５…自動更新設定部、５２６…現在の選曲条件表示部、５２７…ＯＫボタン、５２８…戻りボタン、５２９…キャンセルボタン、…５４１…タイトルエリア、５４２…ワークエリア、５４３から５４７…検索条件設定部、５４８…追加ボタン、５４９…置き換えボタン。
【図１】
2004281013.tif 000003
【図２】
2004281013.tif 000004
【図３】
2004281013.tif 000005
【図４】
2004281013.tif 000006
【図５】
2004281013.tif 000007
【図６】
2004281013.tif 000008